(57)【要約】【課題】本体から取り外して使用可能な機器ユニットの電源回路を小型・軽量化する。【解決手段】本体１１は電源回路１７０とバッテリ１７１とを有する。電源回路１７０は、ＡＣアダプタ１７２から印加される第１の電圧より高い第２の電圧により動作してバッテリ１７１を当該第１の電圧に充電するための制御を行う充電制御回路４１と、ＡＣアダプタ１７２またはバッテリ１７１により駆動されて、第１の電圧より低い第３の電圧を出力するシステム電源４２とを有する。ディスプレイユニット１２は電源回路３８とバッテリ３９とを有する。電源回路３８は、ユニット１２が本体１１と結合されている状態において、システム電源４２から印加される第３の電圧により動作してバッテリ３９を第３の電圧より低い第４の電圧に充電するための制御を行う充電制御回路５１と、システム電源４２またはバッテリ３９により駆動されるシステム電源５２とを有する。【選択図】      図４
2007149009.tif 000002
【特許請求の範囲】
【請求項１】
第１のシステム負荷を含む電子機器本体と、
第２のシステム負荷を含み、前記電子機器本体から取り外して使用可能な機器ユニットとを具備し、
前記電子機器本体は、
第１の電圧に充電可能な第１のバッテリと、
ＡＣアダプタから印加される前記第１の電圧より高い第２の電圧により動作して前記第１のバッテリを前記第１の電圧に充電するための制御を行う第１の充電制御回路、及び前記ＡＣアダプタが利用可能な場合には当該ＡＣアダプタにより駆動され、前記ＡＣアダプタが利用可能でない場合には前記第１のバッテリにより駆動され、前記第１のシステム負荷で用いられる前記第１の電圧より低い第３の電圧を出力する第１のシステム電源を含む第１の電源回路とを有し、
前記機器ユニットは、
前記第３の電圧より低い第４の電圧に充電可能な第２のバッテリと、
前記機器ユニットが前記電子機器本体と結合されている状態において、前記第１のシステム電源から印加される前記第３の電圧により動作して前記第２のバッテリを前記第４の電圧に充電するための制御を行う第２の充電制御回路、及び第１のシステム電源が利用可能な場合には当該第１のシステム電源により駆動され、前記第１のシステム電源が利用可能でない場合には前記第２のバッテリにより駆動され、前記第２のシステム負荷で用いられる第５の電圧を出力する第２のシステム電源を含む第２の電源回路とを有する
ことを特徴とする電子機器。
【請求項２】
前記第２の電源回路は、前記機器ユニットが前記電子機器本体と結合されている状態において、前記第２のシステム電源の駆動に第１のシステム電源を利用可能とするか否かを選択するためのスイッチを更に具備することを特徴とする請求項１記載の電子機器。
【請求項３】
前記第１の電源回路は、
前記第１の充電制御回路の入力と前記ＡＣアダプタの出力との間に介挿された逆流防止用の第１のダイオードと、
前記第１の充電制御回路の入力と前記第１のシステム電源の入力との間に介挿された逆流防止用の第２のダイオードと、
前記第１のバッテリと前記第１のシステム電源の入力との間に介挿された逆流防止用の第３のダイオードとを有する
ことを特徴とする請求項１記載の電子機器。
【請求項４】
前記第２の電源回路は、
前記第２の充電制御回路の入力と前記第１のシステム電源の出力との間に介挿された逆流防止用の第４のダイオードと、
前記第２のバッテリと前記第２のシステム電源の入力との間に介挿された逆流防止用の第５のダイオードと、
前記第４のダイオードのアノードと前記第５のダイオードのアノードとの間に介挿された逆流防止用の第６のダイオードと
を有することを特徴とする請求項３記載の電子機器。
【請求項５】
前記第２の電源回路は、前記第４のダイオードのアノードと前記第６のダイオードのアノードとの間に介挿されたスイッチを有することを特徴とする請求項４記載の電子機器。
【発明の詳細な説明】
【技術分野】
【０００１】
本発明は、電子機器本体から取り外して使用可能な機器ユニットを有する電子機器に関する。
【背景技術】
【０００２】
従来から、ノートブック型パーソナルコンピュータのようなバッテリ駆動可能な様々な携帯型パーソナルコンピュータが開発されている。また、最近では、パーソナルコンピュータの一部のユニットがコンピュータ本体から取り外して（分離して）使用することが可能な、いわゆるデタッチャブル（detachable）・パーソナルコンピュータが提案されている（例えば、特許文献１参照）。また、デタッチャブル・パーソナルコンピュータと同様に、一部の機器ユニットが本体から取り外して使用可能な電子機器も提案されている（例えば、特許文献２参照）。パーソナルコンピュータも電子機器の一種である。つまり、最近は、電子機器の一部をなす機器ユニットが電子機器本体から取り外して使用可能な電子機器が提案されている。
【０００３】
この種の電子機器では、電子機器本体内に、充電可能な第１のバッテリ（第１の二次電池）が実装される。また、電子機器本体から取り外して使用可能な機器ユニット内に、第１のバッテリとは別の充電可能な第２のバッテリ（第２の二次電池）が実装される。この第２のバッテリは、第１のバッテリから独立して駆動可能である。これにより機器ユニットは、電子機器本体から取り外された状態でも駆動可能となる。
【特許文献１】特開平１１−２１２６６５号公報
【特許文献２】特開平１１−３２７６８３号公報
【発明の開示】
【発明が解決しようとする課題】
【０００４】
上記特許文献１及び２の各々には、第１及び第２のバッテリの電圧については記載されていない。しかし機器ユニットが、電子機器本体に結合されている状態、及び当該電子機器本体から取り外されている状態のいずれの場合でも駆動可能とするためには、第１及び第２のバッテリとして同一レベルの電圧を発生する同一セル構成のバッテリを用いのが一般的である。
【０００５】
ここでは、電子機器本体及び機器ユニットは、それぞれ、当該電子機器本体及び機器ユニットのメイン電源としての第１及び第２のシステム電源と、第１及び第２のバッテリに対する充電を制御する第１及び第２の充電制御回路とを必要とする。
【０００６】
機器ユニットを電子機器本体と結合して使用する場合であって、ＡＣアダプタのような高電圧電源が利用できる場合、第１及び第２のシステム電源と第１及び第２の充電制御回路とは、当該高電圧電源により生成される比較的高いＤＣ電圧により駆動される。このため、第１及び第２のシステム電源には、入力電圧が高くても動作が保障される電源ＩＣを使用しなければならない。同様に、第１及び第２の充電制御回路に必要なデカップリングコンデンサとして、入力電圧が高くても動作が保障されるデカップリングコンデンサを使用しなければならない。つまり、従来技術においては、電子機器本体の電源回路だけでなく、当該本体から取り外して使用可能な機器ユニットの電源回路の小型化、薄型化が難しいという問題がある。
【０００７】
また、上記従来技術においては、第１及び第２のバッテリが同時に放電される。このため、機器ユニットを電子機器本体から取り外して単独で使用する場合に、当該機器ユニットに実装されている第２のバッテリの容量を十分活かすことができないという問題もある。
【０００８】
本発明は上記事情を考慮してなされたものでその目的は、電子機器本体から取り外して使用可能な機器ユニットの電源回路を小型・軽量化でき、且つ当該機器ユニットを電子機器本体から取り外して使用する場合における長時間駆動が可能な電子機器を提供することにある。
【課題を解決するための手段】
【０００９】
本発明の１つの観点によれば、第１のシステム負荷を含む電子機器本体と、第２のシステム負荷を含み、前記電子機器本体から取り外して使用可能な機器ユニットとを具備する電子機器が提供される。前記電子機器本体は、第１の電圧に充電可能な第１のバッテリと、ＡＣアダプタから印加される前記第１の電圧より高い第２の電圧により動作して前記第１のバッテリを前記第１の電圧に充電するための制御を行う第１の充電制御回路、及び前記ＡＣアダプタが利用可能な場合には当該ＡＣアダプタにより駆動され、前記ＡＣアダプタが利用可能でない場合には前記第１のバッテリにより駆動され、前記第１のシステム負荷で用いられる前記第１の電圧より低い第３の電圧を出力する第１のシステム電源を含む第１の電源回路とを有する。前記機器ユニットは、前記第３の電圧より低い第４の電圧に充電可能な第２のバッテリと、前記機器ユニットが前記電子機器本体と結合されている状態において、前記第１のシステム電源から印加される前記第３の電圧により動作して前記第２のバッテリを前記第４の電圧に充電するための制御を行う第２の充電制御回路、及び第１のシステム電源が利用可能な場合には当該第１のシステム電源により駆動され、前記第１のシステム電源が利用可能でない場合には前記第２のバッテリにより駆動され、前記第２のシステム負荷で用いられる第５の電圧を出力する第２のシステム電源を含む第２の電源回路とを有する。
【発明の効果】
【００１０】
本発明によれば、電子機器本体から取り外して使用可能な機器ユニットの第２の電源回路には、当該電子機器本体の第１の電源回路に実装される第１のバッテリと比較して低い電圧に充電される第２のバッテリが実装される。このため、第２の電源回路を小型・軽量化できる。また、機器ユニットが電子機器本体に結合されている状態では、第２の電源回路の第２のバッテリの放電が抑止されるため、当該機器ユニットを電子機器本体から取り外して使用する場合における長時間駆動が可能となる。
【発明を実施するための最良の形態】
【００１１】
以下、本発明の実施の形態につき図面を参照して説明する。  
まず図１乃至図４を参照して、本発明の一実施形態に係る電子機器の構成について説明する。この電子機器はバッテリ駆動可能なノートブック型のデタッチャブル・パーソナルコンピュータ１０として実現されている。
【００１２】
図１はデタッチャブル・パーソナルコンピュータ１０のディスプレイユニットを開いた状態における斜視図である。このコンピュータ（電子機器）１０は、コンピュータ本体（電子機器本体）１１と、ディスプレイユニット１２とから構成されている。ディスプレイユニット１２は、コンピュータ１０の一部の機器ユニットであり、コンピュータ本体１１から取り外された状態で当該コンピュータ本体１１から独立に駆動可能である。
【００１３】
ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。ここでＬＣＤ１７の例えば前面にはタッチパネル３２（図３参照）が配置されている。
【００１４】
ディスプレイユニット１２は、ヒンジ１８Ａ及び１８Ｂにより、コンピュータ本体１１に対して開放位置と閉塞位置との間を回動自在に取り付けられている。ディスプレイユニット１２はまた、前記特許文献１に記載された薄型コンピュータ装置における入力ボード盤のように、ヒンジ１８Ａ及び１８Ｂにより、コンピュータ本体１１から取り外し可能なように当該コンピュータ本体１１と結合される。
【００１５】
コンピュータ本体１１は薄い箱形の筐体を有しいる。コンピュータ本体１１の上面には、キーボード１３、コンピュータ１０を電源オン／オフするためのパワーボタンスイッチ１４、入力操作パネル１５及びタッチパッド１６などが配置されている。入力操作パネル１５は、押されたボタンスイッチに対応するイベントを入力する入力装置であり、複数の機能をそれぞれ起動するための複数のボタンスイッチを備えている。
【００１６】
図２はコンピュータ本体１１のシステム構成を示すブロック図である。コンピュータ本体１１は、ＣＰＵ１１１、ノースブリッジ１１２、主メモリ１１３、グラフィクスコントローラ１１４及びサウスブリッジ１１５を有する。コンピュータ本体１１はまた、ＢＩＯＳ−ＲＯＭ１２０、ハードディスクドライブ（ＨＤＤ）１３０、光ディスクドライブ（ＯＤＤ）１４０、ＬＡＮコントローラ１５１、無線（wireless）ＬＡＮコントローラ（Ｗ−ＬＡＮコントローラ）１５２、カードコントローラ１５３、エンベデッドコントローラ／キーボードコントローラＩＣ（ＥＣ／ＫＢＣ）１６０及び電源回路１７０を有する。
【００１７】
ＣＰＵ１１１は、コンピュータ１０の動作を制御するプロセッサである。このＣＰＵ１１１は、ブートデバイス、例えばＨＤＤ１３０から主メモリ１１３にロードされるオペレーティングシステム（ＯＳ）を実行する。またＣＰＵ１１１は、各種アプリケーションプログラムを実行する。またＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００１８】
ノースブリッジ１１２は、ＣＰＵ１１１のローカルバスとサウスブリッジ１１５との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００１９】
グラフィクスコントローラ１１４は、コンピュータ１０のディスプレイモニタとして使用されるＬＣＤ１７を制御する表示コントローラである。グラフィクスコントローラ１１４はディスプレイユニット１２がコンピュータ本体１１と結合されて使用される場合に動作する。グラフィクスコントローラ１１４はビデオメモリ（ＶＲＡＭ）１１４ａを有しており、当該ＶＲＡＭ１１４ａに書き込まれた表示データから、ＬＣＤ１７に表示すべき表示イメージを形成する映像信号を生成する。
【００２０】
サウスブリッジ１１５は、ＢＩＯＳ−ＲＯＭ１２０へのアクセスを制御する。ＢＩＯＳ−ＲＯＭ１２０はフラッシュＲＯＭのような書き換え可能な不揮発性メモリである。前記したようにＢＩＯＳ−ＲＯＭ１２０は、システムＢＩＯＳを格納する。またサウスブリッジ１１５は、ＨＤＤ１３０及びＯＤＤ１４０などのディスクドライブ（Ｉ／Ｏデバイス）を制御する。
【００２１】
サウスブリッジ１１５は、ＰＣＩ（Peripheral Component Interconnect）バス２及びＬＰＣ（Low Pin Count）バス３にそれぞれ接続される。サウスブリッジ１１５は、ＰＣＩバス２及びＬＰＣバス３上の各デバイスを制御する。ＰＣＩバス２はシステムバスとして用いられる。
【００２２】
ＨＤＤ１３０は、各種ソフトウェア及びデータを格納するストレージ装置である。ＨＤＤ１３０は、モータにより回転される磁気記録メディア（磁気ディスク）へ／からのヘッド（磁気ヘッド）によるデータの書き込み／読み出しを行う。ＨＤＤ１３０には、オペレーティングシステム（ＯＳ）が予め格納されている。ＯＳはＢＩＯＳ−ＲＯＭ１２０に格納されているシステムＢＩＯＳに従って主メモリ１１３にロードされることにより、ＣＰＵ１１１によって実行される。
【００２３】
ＯＤＤ１４０はコンパクトディスク（ＣＤ）やデジタル多用途ディスク（ＤＶＤ）のような光記録メディア（光ディスク）をモータにより回転駆動するドライブユニットである。ＯＤＤ１４０は光ディスクから／へのヘッド（光ヘッド）によるデータの読み出し／書き込みを行う。
【００２４】
ＰＣＩバス２には、ＬＡＮコントローラ１５１、Ｗ−ＬＡＮコントローラ１５２及びカードコントローラ１５３が接続されている。ＬＡＮコントローラ１５１は、コンピュータ本体１１をＬＡＮ（有線ＬＡＮ）に接続するためのネットワークコントローラである。Ｗ−ＬＡＮコントローラ１５２は、コンピュータ本体１１を無線ＬＡＮに接続するためのネットワークコントローラである。カードコントローラ１５３は、当該カードコントローラ１５３と接続されるカードスロットに挿入されたＰＣカード或いはＳＤ（Secure Digital）カードのようなカードデバイスを制御する。
【００２５】
ＥＣ／ＫＢＣ１６０は、電源管理のためのエンベデッドコントローラと、キーボード（ＫＢ）１３及びタッチパッド１６などを制御するキーボードコントローラとが単一チップに集積されたマイクロコンピュータである。ＥＣ／ＫＢＣ１６０は、電源回路１７０と協調して動作することにより、ユーザによるパワーボタンスイッチ１４の操作に応答して、コンピュータ１０を電源オンする電源制御機能を有している。電源回路１７０は、充電可能なバッテリ（第１のバッテリ）１７１または高電圧電源としてのＡＣアダプタ１７２を介して供給されるＤＣ電源を用いて、コンピュータ本体１１の各要素に印加すべきシステム電源電圧を生成する。ＡＣアダプタ１７２は、ＡＣ電源をＤＣ電源に変換する。
【００２６】
図３はディスプレイユニット１２のシステム構成を示すブロック図である。ディスプレイユニット１２は、図１に示すＬＣＤ１７に加えて、ＬＣＤコントローラ３１、タッチパネル３２、タッチパネルコントローラ３３、主コントローラ３４、フラッシュＲＯＭ（ＦＲＯＭ）３５、シンクロナス（synchronous）ＤＲＡＭ（ＳＤＲＡＭ）３６、Ｗ−ＬＡＮコントローラ３７、電源回路３８及びバッテリ３９を有する。
【００２７】
ＬＣＤコントローラ３１は、ＬＣＤ１７を制御する表示コントローラである。ＬＣＤコントローラ３１は、ディスプレイユニット１２がコンピュータ本体１１から取り外された状態で単独使用される場合に動作する。ＬＣＤコントローラ３１はビデオメモリ（ＶＲＡＭ）３１０を有しており、当該ＶＲＡＭ３１０に書き込まれた表示データから、ＬＣＤ１７に表示すべき表示イメージを形成する映像信号を生成する。
【００２８】
タッチパネル３２は、例えばユーザが指でタッチすることにより位置指示が可能な入力面をなす。タッチパネル３２は透明であり、ＬＣＤ１７の例えば前面に配置される。タッチパネルコントローラ３３は、ユーザが指でタッチしたタッチパネル３２上の位置を検出する。これによりユーザは、例えば主コントローラ３４の制御のもとでＬＣＤコントローラ３１によってＬＣＤ１７に表示される様々なメニュー等に対して指を用いてダイレクトに指示入力することができる。なお、タッチパネル３２及びタッチパネルコントローラ３３に代えて、例えばペンによる位置指示が可能なタブレット（デジタイザ）及びタブレットコントローラ（デジタイザコントローラ）を用いても良い。
【００２９】
主コントローラ３４は、ディスプレイユニット１２全体の動作を制御する。主コントローラ３４は、例えばＦＲＯＭ３５に格納されている各種プログラムを実行するＣＰＵと、Ｉ／Ｏコントローラとから構成される。Ｉ／Ｏコントローラは、ＬＣＤコントローラ３１、タッチパネルコントローラ３３及びＷ−ＬＡＮコントローラ３７等との間のデータ入出力を制御する。ＳＤＲＡＭ３６の一部の領域は、主コントローラ３４内のＣＰＵのワークエリアとして用いられる。本実施形態において、ＦＲＯＭ３５に格納されているプログラムは、インターネットビューア用のプログラム（いわゆるブラウザ）を含む。
【００３０】
Ｗ−ＬＡＮコントローラ３７は、ディスプレイユニット１２を無線ＬＡＮに接続するためのネットワークコントローラである。このＷ−ＬＡＮコントローラ３７により、主コントローラ３４はインターネットビューア用のプログラムに従い、ディスプレイユニット１２を独立のインターネットビューアとして機能させることができる。また、主コントローラ３４は、Ｗ−ＬＡＮコントローラ３７によりコンピュータ本体１１内のＷ−ＬＡＮコントローラ１５２と無線による通信を行うことで、ディスプレイユニット１２をコンピュータ１０の一部として機能させることもできる。
【００３１】
なお、Ｗ−ＬＡＮコントローラ３７及び１５２による無線通信に代えて、ＵＷＢ（超広帯域無線）コントローラのような他の無線通信デバイスを用いることも可能である。また、コンピュータ本体１１及びディスプレイユニット１２をコネクタにより電気的に結合するならば、例えばＰＣＩバス２或いはＬＡＮ回線を介してコンピュータ本体１１及びディスプレイユニット１２間で通信を行うことも可能である。
【００３２】
電源回路３８は、ディスプレイユニット１２内の各要素の駆動用の電源電圧（システム電源電圧）を生成する。電源回路３８は、ディスプレイユニット１２がコンピュータ本体１１と結合されている状態では、当該コンピュータ本体１１の電源回路１７０により生成されるシステム電源電圧を受けて動作する。電源回路３８はまた、ディスプレイユニット１２がコンピュータ本体１１から取り外されている状態では、バッテリ３９から印加される電圧を受けて動作する。バッテリ３９は、コンピュータ本体１１内のバッテリ１７１よりも低電圧の、充電が可能なバッテリである。ここでは、バッテリ３９の電圧は＋４Ｖ、バッテリ１７１の電圧は＋１２Ｖである。
【００３３】
図４は、コンピュータ本体１１及びディスプレイユニット１２の、主として電源回路１７０及び３８の構成を示すブロック図である。  
コンピュータ本体１１内の電源回路（第１の電源回路）１７０は、充電制御回路（第１の充電制御回路）４１と、システム電源（第１のシステム電源）４２と、逆流防止用のダイオード４３，４４及び４５とから構成される。ＡＣアダプタ１７２の出力（出力側の正極）はダイオード（第１のダイオード）４３のアノードと接続され、当該ダイオード４３のカソードは充電制御回路４１の入力と接続される。ＡＣアダプタ１７２は、例えば商用の交流電圧を＋１５ＶのＤＣ電圧に変換するＡＣ−ＤＣコンバータにより構成される。
【００３４】
したがって、コンピュータ本体１１にＡＣアダプタ１７２を介して交流電源が接続されている状態では、充電制御回路４１の入力には、当該ＡＣアダプタ１７２から出力される＋１５ＶのＤＣ電圧がダイオード４３を介して印加される。充電制御回路４１は、このＡＣアダプタ１７２からのＤＣ電圧（第２の電圧）を受けて動作して、バッテリ１７１を例えば＋１２Ｖ（第１の電圧）に充電するための制御を実行する。
【００３５】
ダイオード４３のカソードは、充電制御回路４１の入力の他にダイオード（第２のダイオード）４４のアノードとも接続される。バッテリ１７１の正極はダイオード（第３のダイオード）４５のアノードと接続され、当該ダイオード４５のカソードは、ダイオード４４のカソードと共にシステム電源４２の入力と共通に接続される。
【００３６】
これにより、システム電源４２の入力には、ＡＣアダプタ１７２及びバッテリ１７１の両方からＤＣ電圧を印加することが可能である。ここでは、ＡＣアダプタ１７２から出力される電圧（＋１５Ｖ）の方がバッテリ１７１から出力される電圧（＋１２Ｖ）よりも高い。このためシステム電源４２は、ＡＣアダプタ１７２から出力される電圧（＋１５Ｖ）によって駆動される。このときバッテリ１７１の放電は抑えられる。
【００３７】
一方、ユーザがコンピュータ１０を携帯して使用している場合など、コンピュータ本体１１にＡＣアダプタ１７２を介して交流電源が接続されていない状態では、システム電源４２は、バッテリ１７１によって駆動される。
【００３８】
システム電源４２はＤＣ−ＤＣコンバータから構成されている。システム電源４２は、入力電圧＋１２Ｖを例えばコンピュータ本体１１内の各要素を含む負荷（システム負荷）６１の電源電圧として用いられる＋５Ｖに変換する。
【００３９】
ダイオード４３は逆流防止ダイオードで、ＡＣアダプタ１７２の印加（＋）、（−）が逆に印加された場合の電流の逆流を防止する。また、ダイオード４４は充電制御回路４１への逆流を防止する。ダイオード４５は、ＡＣアダプタ１７２から出力されるＤＣ電圧がバッテリ１７１に直接印加されるのを防止する。
【００４０】
一方、ディスプレイユニット１２の電源回路（第２の電源回路）３８は、充電制御回路（第２の充電制御回路）５１と、システム電源（第２のシステム電源）５２と、ダイオード５３，５４及び５５と、スイッチ５６とから構成される。コンピュータ本体１１のシステム電源４２の出力（出力側の正極）は、当該コンピュータ本体１１にディスプレイユニット１２が結合されている状態では、当該ディスプレイユニット１２のダイオード（第４のダイオード）５３のアノードと例えば電源コネクタ（図示せず）を介して接続される。このダイオード５３のカソードは充電制御回路５１の入力と接続される。これにより充電制御回路５１には、コンピュータ本体１１のシステム電源４２から出力される＋５ＶのＤＣ電圧がダイオード５３を介して印加される。充電制御回路５１は、このシステム電源４２からのＤＣ電圧を受けて動作して、バッテリ３９を例えば＋４Ｖに充電するための制御を実行する。
【００４１】
このように充電制御回路５１の入力電圧（＋５Ｖ）は、コンピュータ本体１１の充電制御回路４１の入力電圧（＋１２Ｖ）よりも低い。このため、充電制御回路５１に必要なデカップリングコンデンサとして、充電制御回路４１に必要なデカップリングコンデンサよりも入力耐圧の低いものを使用できる。同様にシステム電源５２に必要な電源ＩＣをコンピュータ本体１１のシステム電源４２に必要な電源ＩＣよりも入力耐圧の低いものを使用できる。これにより、充電制御回路５１及びシステム電源５２を含む電源回路３８の小型・薄型化が可能となり、ディスプレイユニット１２を一層小型・薄型化して当該ディスプレイユニット１２の携帯しやすさにも貢献できる。
【００４２】
バッテリ３９の正極はダイオード（第６のダイオード）５５のアノードと接続され、当該ダイオード５５のカソードは、ダイオード（第５のダイオード）５４のカソードと共にシステム電源５２の入力と共通に接続される。ダイオード５３のアノードは、スイッチ５６を介してダイオード５４のアノードと接続される。
【００４３】
これにより、コンピュータ本体１１にディスプレイユニット１２が結合され、且つスイッチ５６がＯＮされている状態では、システム電源５２の入力には、システム電源４２（コンピュータ本体１１のシステム電源４２）及びバッテリ３９の両方からＤＣ電圧を印加することが可能である。ここでは、システム電源４２から出力される電圧（＋５Ｖ）の方がバッテリ３９から出力される電圧（＋４Ｖ）よりも高い。このためシステム電源５２は、システム電源４２によって駆動される。つまり、ＯＮ状態のスイッチ５６は、システム電源５２の駆動にシステム電源４２を利用可能とする選択スイッチとして用いられる。
【００４４】
システム電源５２がシステム電源４２によって駆動される場合、バッテリ３９の放電は抑えられる。但し、システム電源５２の入力電圧は、システム電源４２及びバッテリ３９から出力される電圧のうち、低い方の電圧、つまりバッテリ３９の電圧（＋４Ｖ）に引き込まれる。したがってシステム電源５２は、＋４Ｖの電圧によって駆動される。
【００４５】
一方、ディスプレイユニット１２をコンピュータ本体１１から取り外して、当該ディスプレイユニット１２を単独で使用する場合には、システム電源５２は、バッテリ３９によって駆動される。上述したように、ディスプレイユニット１２がコンピュータ本体１１に結合されている状態では、システム電源５２は、当該コンピュータ本体１１のシステム電源４２によって駆動される。この状態では、ディスプレイユニット１２のバッテリ３９は放電されることはなく、当該バッテリ３９に蓄積された電荷が消費されるのが防止される。このため、ディスプレイユニット１２を単独で使用する場合に、バッテリ３９の容量を十分活かして当該バッテリ３９による長時間駆動が可能となる。
【００４６】
システム電源５２はＤＣ−ＤＣコンバータから構成されている。システム電源５２は、入力電圧＋４Ｖを例えばディスプレイユニット１２内の各要素を含む負荷（システム負荷）６２の電源電圧として用いられる＋３．３Ｖに変換する。勿論、ディスプレイユニット１２内の各要素の電源電圧が入力電圧＋４Ｖを超えている場合、例えばコンピュータ本体１１内の各要素のそれと同一の＋５Ｖの場合には、当該入力電圧＋４Ｖを＋５Ｖに昇圧すれば良い。
【００４７】
ダイオード５３は逆流防止ダイオードであり、システム電源４２の出力が逆に印加された場合の電流の逆流を防止する。ダイオード５４はバッテリ３９の出力がシステム電源４２へ印加されるのを防止する。ダイオード５５は、システム電源４２から出力されるＤＣ電圧がバッテリ３９に直接印加されるのを防止する。
【００４８】
ダイオード５３のアノードとダイオード５４のアノードとは、スイッチ５６を介して接続されている。このスイッチ５６がＯＮされ、且つディスプレイユニット１２がコンピュータ本体１１に結合されている状態では、上述のようにディスプレイユニット１２のシステム電源５２はコンピュータ本体１１のシステム電源４２によって駆動される。ここで、ユーザがコンピュータ１０を携帯して使用しているなどの理由により、コンピュータ本体１１にＡＣアダプタ１７２を介して交流電源が接続されていないものとする。このような状態では、コンピュータ本体１１のシステム電源４２は当該コンピュータ本体１１のバッテリ１７１によって駆動される。このことは、ディスプレイユニット１２のシステム電源５２が、コンピュータ本体１１のバッテリ１７１によって駆動されることを意味する。つまり、ディスプレイユニット１２がコンピュータ本体１１に結合され、且つコンピュータ本体１１にＡＣアダプタ１７２を介して交流電源が接続されていない特定状態においてスイッチ５６がＯＮされているならば、ディスプレイユニット１２はコンピュータ本体１１のバッテリ１７１によって駆動される。
【００４９】
次に、上記特定状態においてスイッチ５６がＯＦＦされたものとする。すると、ディスプレイユニット１２のバッテリ３９が放電を開始し、当該ディスプレイユニット１２のシステム電源５２は当該バッテリ３９によって駆動される。つまり、上記特定状態においてスイッチ５６がＯＦＦされているならば、ディスプレイユニット１２は当該ユニット１２のバッテリ３９によって駆動される。このことは、ＯＦＦ状態のスイッチ５７が、システム電源５２の駆動にシステム電源４２を利用不可とする選択スイッチとして用いられることを意味する。
【００５０】
このように本実施形態においては、上記特定状態においてスイッチ５６をＯＮすることにより、ディスプレイユニット１２をコンピュータ本体１１のバッテリ１７１で駆動することができる。また、上記特定状態においてスイッチ５６をＯＦＦすることにより、ディスプレイユニット１２を当該ユニット１２のバッテリ３９で駆動することができる。これにより、上記特定状態におけるディスプレイユニット１２の一層の長時間駆動が可能となる。
【００５１】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。
【図面の簡単な説明】
【００５２】
【図１】本発明の一実施形態に係るノートブック型のデタッチャブル・パーソナルコンピュータ１０の外観を示す斜視図。
【図２】図１に表れるコンピュータ本体１１のシステム構成を示すブロック図。
【図３】図１に表れるディスプレイユニット１２のシステム構成を示すブロック図。
【図４】コンピュータ本体１１及びディスプレイユニット１２の、主として電源回路１７０及び３８の構成を示すブロック図。
【符号の説明】
【００５３】
１０…デタッチャブル・パーソナルコンピュータ（電子機器）、１１…コンピュータ本体（電子機器本体）、１２…ディスプレイユニット（機器ユニット）、１７…ＬＣＤ、１８Ａ，１８Ｂ…ヒンジ、３１…ＬＣＤコントローラ、３４…主コントローラ、３７，１５２…Ｗ−ＬＡＮコントローラ（無線ＬＡＮコントローラ）、３８…電源回路（第２の電源回路）、３９…バッテリ（第２のバッテリ）、４１…充電制御回路（第１の充電制御回路）、４３…ダイオード（第１のダイオード）、４４…ダイオード（第２のダイオード）、４５…（第３のダイオード）、５１…充電制御回路（第２の充電制御回路）、５３…ダイオード（第４のダイオード）、５４…ダイオード（第５のダイオード）、５５…（第５のダイオード）、５６…スイッチ、６１…システム負荷（第１のシステム負荷）、６２…システム負荷（第２のシステム負荷）、１７０…電源回路（第１の電源回路）、１７１…バッテリ（第１のバッテリ）、１７２…ＡＣアダプタ。
【図１】
2007149009.tif 000003
【図２】
2007149009.tif 000004
【図３】
2007149009.tif 000005
【図４】
2007149009.tif 000006